【事件の表示】
　特願２００３−１３１１４３「遊技機」拒絶査定不服審判事件〔平成１６年１１月２５日出願公開、特開２００４−３２９６４１〕について、次のとおり審決する。
【結　論】
　本件審判の請求は、成り立たない。
【理　由】
第一．手続の経緯
　本願は、平成１５年５月９日の出願であって、平成２１年７月１日付け拒絶理由通知に対して平成２１年８月４日に手続補正がなされ、その後、平成２１年１１月２０日付け最後の拒絶理由通知に対して平成２２年１月２６日に手続補正がなされ、該手続補正は平成２２年４月１９日付けで却下され、同日付けでなされた拒絶査定に対し、平成２２年７月１日に拒絶査定不服審判が請求されるとともに、手続補正がなされたものである。
　また、当審において、平成２２年１１月１７日付けで審査官による前置報告書の内容を添付して審尋を行い、請求人から平成２３年１月７日に回答書が提出されている。
　
第二．平成２２年７月１日付けの手続補正についての補正却下の決定
［補正却下の決定の結論］
　平成２２年７月１日付けの手続補正（以下「本件補正」という。）を却下する。
　
［理由］
１．本件補正後の本願発明
　本件補正により補正された、特許請求の範囲の請求項１記載の発明（以下「本願補正発明」という。）は次のとおりである。
「　遊技機本体の前側に、円板状の多数の遊技媒体を一括投入可能な遊技媒体トレイと、該遊技媒体トレイに投入された遊技媒体をモータ駆動により前記遊技機本体内に取り込み可能な遊技媒体取込手段とを配置した遊技機において、
　前記遊技媒体トレイは、投入される遊技媒体を受け入れ可能で、かつ
受け入れた遊技媒体が後方へ向けて滑るように後方
正面視ほぼＵ字状の
下向きに
るとともに、
の後端から落下した
起立
、後記回転盤の前面と当該前面に対向する対向面との間に貯留可能な
形成
　前記落し込み部は、後記回転盤の前面との間に貯留される遊技媒体が前記起立姿勢で底部中央に寄るように後面視において底面が下向きに凸の円弧面をなし、
るとともに、前面が前記落し込み部の前記対向面に上向きに開く鋭角になるように対向し
前面から
当該取り込んだ遊技媒体を厚み方向が前記軸線を向く姿勢で後方へ送出可能な複数の
備え
　前記落し込み
部に
近接スイッチを、前記落し込み部の底面から突出しないように、前記落し込み部の底部中央に埋設した
（下線部は補正によって変更又は追加された箇所。）
　
２．補正要件（目的）の検討
　請求項１についての補正は、以下のとおりである。
ａ．発明を特定するために必要な事項である「受け部」について、「受け入れた遊技媒体」、「滑るように後方」及び「正面視ほぼＵ字状」を付加する補正。
ｂ．同じく「落し込み部」について、「下向きに連設されるとともに、」、「後端から落下した」、「起立姿勢で、後記回転盤の前面と当該前面に対向する対向面との間に貯留可能な」及び「後記回転盤の前面との間に貯留される遊技媒体が前記起立姿勢で底部中央に寄るように後面視において底面が下向きに凸の円弧面をなし、」を付加する補正。
ｃ．同じく「回転盤」について、「前面が前記落し込み部の前記対向面に上向きに開く鋭角になるように対向し、」、「前面から」及び「当該取り込んだ遊技媒体を厚み方向が前記軸線を向く姿勢で後方へ送出可能な複数」を付加する補正。
ｄ．同じく「検出手段」について、「近接スイッチ」に限定するとともに「前記落し込み部の底面から突出しないように、前記落し込み部の底部中央に埋設したこと」を付加する補正。
　してみると、前記各補正は、補正前の各発明特定事項を限定する補正であるから、特許請求の範囲の減縮を目的とする補正に相当する。
　また、請求項２は削除されているから、該補正は特許請求の範囲の削除を目的とする補正である。
　よって、本件補正は、平成１８年法律第５５号による改正前の特許法（以下「改正前特許法」という。）第１７条の２第４項第１号及び第２号に該当する。
　
３．補正要件（独立特許要件：特許法第２９条第２項）の検討
（１）引用された文献の記載事項
　原査定の拒絶の理由に引用された特開２００３−１９２４８号公報（以下「引用文献１」という。）には、図面とともに、以下の事項が記載されている。
【００１１】【発明の実施の形態】以下、図面に基づき本発明に係る遊技機について説明する。ただし、ここでは、本発明をパチスロ機に適用した場合を例に挙げて説明する。
【００１２】〔概略構成の説明〕先ず、本実施形態におけるパチスロ機の概略構成について説明する。図１は、パチスロ機の一例の外観構成を示す斜視図である。図例のように、パチスロ機１は、前面パネル部２と、これを開閉自在に支持する箱型のキャビネット部３とから構成される。
【００１４】また、前面パネル部２には、操作ボタンと略同様の高さ位置、すなわち遊技者が操作し易い位置に、遊技媒体であるメダルの投入口として、メダル一括投入口２５が配設されている。このメダル一括投入口２５は、複数枚のメダルを一括して投入可能となるように、大きな開口状に形成されている。
【００１７】図３は、パチスロ機の一例の要部の内部構成を示す側断面図である。前面パネル部２の裏側には、メダル一括投入口２５に投入されたメダルを一時貯留するメダル貯留部４１と、そのメダル貯留部４１が貯留しているメダルを１枚ずつパチスロ機内に取り込むためのメダル送出機構４２と、そのメダル送出機構４２によって取り込まれたメダルを受け取ってそのメダルの真偽や枚数を判別するメダルセレクタ４３と、が設けられている。
【００１８】メダル貯留部４１は、メダル一括投入口２５に連なるホッパ状に形成されたものであってもよいが、例えば図示するように、メダル一括投入口２５が樹脂部材または金属部材等により開口を有した無蓋有底の容器状に成形され、かつ、その底部分に所定枚数（例えば１枚）のメダルのみを通過させる大きさのスリットが設けられている場合には、そのスリットを通過したメダルを受け取ってこれを貯留するものであってもよい。この場合、スリットをメダルが通過したこと、すなわちメダル一括投入口２５へ投入されたメダルをメダル貯留部４１が受け取ったこと（メダル貯留部４１へのメダルイン枚数）を検知するために、そのスリットの後段に通過検知センサ４４を設けることが考えられる。さらに、メダル貯留部４１は、通過検知センサ４４に加えて、または通過検知センサ４４の代わりに、貯留メダルの有無を検知するための貯留検知センサ（ただし不図示）を有していてもよい。
【００２１】メダル送出機構４２は、メダル貯留部４１が貯留しているメダルを１枚ずつ取りだしてメダルセレクタ４３へ送り出すために、モータ４２ａ等の駆動源によって動作する回転機構部を備えている。ただし、回転機構部の詳細については、例えばメダル払い出し装置３４における機構や既に説明した従来のものと略同様に構成すればよいため、ここではその詳細な説明を省略する。
【００４４】〔メダル投入時の第１制御処理例の説明〕次に、本実施形態のパチスロ機１における特徴点である、メダル一括投入口２５にメダルが投入されてからそのメダルがセレクタ４３へ１枚ずつ送られるまでの間の処理動作について説明する。
【００４５】図４は、第１制御処理例の手順を示すフローチャートである。ここでは、制御基板３２上で動作するプログラム（以下「制御プログラム」と呼ぶ）が、通過検知センサ４４等の検知結果に応じて制御処理動作を開始する場合を例に挙げて説明する。既に説明したように、パチスロ機１を使用して遊技する場合には、遊技者がメダル一括投入口２５にメダルを投入するが、メダル一括投入口２５へのメダル投入があると、そのことが通過検知センサ４４と図示しない貯留検知センサの少なくとも一方によって検知される。
【００４６】これらの少なくとも一方によってメダルが検知されると（ステップ１０１、以下ステップを「Ｓ」と略す）、制御プログラムは、そのメダルをパチスロ機１内へ取り込むための制御処理動作を開始するが、先ず、そのパチスロ機１が遊技者による遊技中であるか否かを判断する（Ｓ１０２）。なお、ここでいう遊技中とは、遊技者がスタートレバー２３ｄを操作してから、その操作に応じた各リール３１ａ〜３１ｃの可変表示が停止し、その遊技の結果、すなわち入賞の有無が決定するまでの間のことをいう。遊技中であるか否かを判断するのは、遊技中はメダル投入を受け付けないためである。
　
　摘記した上記の記載や図面等によれば、引用文献１には、以下の発明（以下「引用発明」という。）が記載されている。
「　前面パネル部２には、複数枚のメダルを一括して投入可能となるように、大きな開口状に形成されているメダル一括投入口２５が配設され、該メダル一括投入口２５に投入されたメダルを一時貯留するメダル貯留部４１と、そのメダル貯留部４１が貯留しているメダルを１枚ずつパチスロ機内に取り込むためのメダル送出機構４２が設けられているパチスロ機１において、
　前記メダル一括投入口２５は、開口を有した無蓋有底の容器状に成形され、かつ、その底部分に所定枚数のメダルのみを通過させる大きさのスリットが設けられており、
　前記メダル貯留部４１は、前記スリットを通過したメダルを受け取ってこれを貯留するものであり、
　前記メダル送出機構４２は、前記メダル貯留部４１が貯留しているメダルを１枚ずつ取りだしてメダルセレクタ４３へ送り出すために、モータ４２ａによって動作する回転機構部を備え、
　前記メダル貯留部４１は、貯留メダルの有無を検知するための貯留検知センサを有し、該貯留検知センサによってメダルが検知されると、そのメダルをパチスロ機１内へ取り込むための制御処理動作を開始するパチスロ機１。」
　
（２）引用発明と本願補正発明との対比
　そこで、本願補正発明と引用発明とを比較すると、引用発明の「前面パネル部２」は、本願補正発明の「遊技機本体の前側」に相当し、以下同様に、
「メダル」は「円板状の遊技媒体」に、
「複数枚のメダルを一括して投入可能となるように」は「円板状の多数の遊技媒体を一括投入可能な」に、
「パチスロ機内に取り込むためのメダル送出機構４２」は「遊技機本体内に取り込み可能な遊技媒体取込手段」に、
「パチスロ機１」は「遊技機」に、
「モータ４２ａ」は「モータ」に、それぞれ相当する。
　さらに、引用文献１の記載等からみて、以下のことがいえる。
　
ａ．引用発明の「メダル一括投入口２５」は、複数枚のメダルを一括して投入可能となるように、大きな開口状に形成されており、「メダル貯留部４１」は、メダル一括投入口２５に投入されたメダルを一時貯留するものである。
　そして、引用発明の「メダル送出機構４２」は、メダル貯留部４１が貯留しているメダルを１枚ずつパチスロ機内に取り込むのであるから、引用発明の「メダル一括投入口２５」及び「メダル貯留部４１」が、本願補正発明の「遊技媒体トレイ」に相当するものといえる。
　また、引用発明の「メダル送出機構４２」は、モータ４２ａによって動作する回転機構部を備えているから、モータ駆動によりメダルをパチスロ機内に取り込むものといえる。
　そうしてみると、引用発明の「パチスロ機１」は、本願補正発明の「遊技機本体の前側に、円板状の多数の遊技媒体を一括投入可能な遊技媒体トレイと、該遊技媒体トレイに投入された遊技媒体をモータ駆動により前記遊技機本体内に取り込み可能な遊技媒体取込手段とを配置した」に相当する構成を備えるものということができる。
　
ｂ．引用発明の「メダル一括投入口２５」は、開口を有した無蓋有底の容器状に成形されているから、投入されるメダルを受け入れ可能であることが明らかである。
　また、引用発明の「スリット」は、引用文献１の【図３】からみて、パチスロ機１の内部側（本願補正発明の「後方」）にあるものと認められ、メダル一括投入口２５に投入されたメダルがメダル貯留部４１に貯留されることはいうまでもないから、メダル一括投入口２５の底部分はメダルがパチスロ機１内部へ向けて滑るように傾斜する面になっているといえる。
　よって、引用発明の「メダル一括投入口２５」と本願補正発明の「受け部」は、“投入される遊技媒体を受け入れ可能で、かつ受け入れた遊技媒体が後方へ向けて滑るように後方下り傾斜する受け入れ口”である点で共通している。
　
ｃ．引用文献１の【図３】からみて、引用発明の「メダル貯留部４１」は、「スリット」に下向きに連設されるとともに、メダルを回転機構部（本願補正発明の「回転盤」に相当）の前面と当該前面に対向する対向面との間に貯留可能なものであると認められる。
　また、上記ｂ．で述べたように、引用発明の「スリット」は、メダル一括投入口２５の内部側（本願補正発明の「受け部の後端」に相当）に設けられていると認められるとともに、引用発明において「スリットを通過したメダル」がメダル貯留部４１へ落下することはいうまでもない。
　よって、引用発明の「メダル貯留部４１」と本願補正発明の「落し込み部」は、“受け部の後端に下向きに連設されるとともに、前記受け部の後端から落下した遊技媒体を、回転盤の前面と当該前面に対向する対向面との間に貯留可能なストック部”である点で共通している。
　
ｄ．引用発明の「回転機構部」は、引用文献１の【図３】からみて、本願補正発明の「前上がり傾斜した軸線回りに回転可能に支持される回転盤」に相当するとともに、その前面はメダル貯留部４１の対向する面に上向きに開く鋭角になるように対向しているものと認められる。
　よって、引用発明の「メダル送出機構４２」と本願補正発明の「遊技媒体取込手段」は、“モータと、前上がり傾斜した軸線回りに回転可能に支持されるとともに、前面が前記落し込み部の前記対向面に上向きに開く鋭角になるように対向している回転盤”を備える点では一致している。
　
ｅ．引用発明の「貯留検知センサ」は、貯留メダルの有無を検知するためのものであって、該センサによってメダルが検知されると、そのメダルをパチスロ機１内へ取り込むための制御処理動作を開始する、すなわちモータ４２ａの回転を開始するのであるから、本願補正発明の「近接スイッチ」とは、“ストック部に貯留される遊技媒体を検知可能で、かつ検知することにより前記モータを回転させる契機を発生させる検知手段”である点で共通している。
　
　以上を総合すると、両者は、
「　遊技機本体の前側に、円板状の多数の遊技媒体を一括投入可能な遊技媒体トレイと、該遊技媒体トレイに投入された遊技媒体をモータ駆動により前記遊技機本体内に取り込み可能な遊技媒体取込手段とを配置した遊技機において、
　前記遊技媒体トレイは、投入される遊技媒体を受け入れ可能で、かつ受け入れた遊技媒体が後方へ向けて滑るように後方下り傾斜する受け入れ口と、該受け入れ口の後端に下向きに連設されるとともに、前記受け入れ口の後端から落下した遊技媒体を、回転盤の前面と当該前面に対向する対向面との間に貯留可能なストック部とを形成し、
　前記遊技媒体取込手段は、モータと、前上がり傾斜した軸線回りに回転可能に支持されるとともに、前面が前記落し込み部の前記対向面に上向きに開く鋭角になるように対向している回転盤とを備え、
　前記ストック部に貯留される遊技媒体を検知可能で、かつ検知することにより前記モータを回転させる契機を発生させる検知手段を設けた遊技機。」
の点で一致し、以下の点で相違している。
　
［相違点１］受け入れ口に関して、本願補正発明の「受け部」は、「正面視ほぼＵ字状」であるのに対し、引用発明の「メダル一括投入口２５」は、正面視の形状がどのようなものであるか明らかでない点。
　
［相違点２］ストック部に関して、本願補正発明の「落し込み部」は、遊技媒体をその厚み方向が前後方向へ向く起立姿勢で貯留可能であるとともに、後面視において底面が下向きに凸の円弧面をなしているのに対し、引用発明の「メダル貯留部４１」は、そのようなものであるか明らかでない点。
　
［相違点３］本願補正発明の「回転盤」は、モータにより回転させられることにより、落し込み部の底部に貯留される遊技媒体を前面から一枚ずつ取り込み当該取り込んだ遊技媒体を厚み方向が前記軸線を向く姿勢で後方へ送出可能な複数の取込孔を有するのに対し、引用発明の「回転機構部」はメダルを送出するための具体的な構成が明らかでない点。
　
［相違点４］検知手段に関して、本願補正発明は、「近接スイッチ」であって、「落し込み部の底面から突出しないように、前記落し込み部の底部中央に埋設」されているのに対し、引用発明の「貯留検知センサ」は、その形式及び配設箇所が明らかでない点。
　
（３）相違点の検討及び判断
［相違点１〜３について］
　相違点１〜３は、いずれも遊技媒体トレイ及び該遊技媒体トレイに投入された遊技媒体を遊技機本体内に取り込む部分の構成に関するものであるから、合わせて検討する。
　原査定の拒絶の理由に引用された実願昭５５−１６２０３１号（実開昭57-88269号）のマイクロフィルム（以下「引用文献２」という。）には、次の事項（以下「引用文献２記載の事項」という。）が記載されていると認められる。
ａ．ホツパ受け板２４（本願補正発明の「受け部」に相当）が、硬貨受け面２４ａ、硬貨溜め面２４ｂ及び側面２４ｃからなり、正面視がほぼＵ字状である点。（特に、明細書８頁５〜１３行及び第１図、第２図を参照。）
ｂ．硬貨溜め部２５（本願補正発明の「落し込み部」に相当）に入った硬貨３８は、硬貨受け面２４ｂの立下り面、回転円板２における円板本体１０下部およびホツパ筒２３の周壁下部とで囲まれる部分に立った状態（本願補正発明の「厚み方向が前後方向へ向く起立姿勢」に相当）で溜められる点、及び後面視においてホツパ筒２３の周壁下部（本願補正発明の「底面」に相当）が下向きに凸の円弧面をなしている点。（特に、明細書１２頁１０〜１８行及び第３図を参照。）
ｃ．回転円板２（本願補正発明の「回転盤」に相当）の円板本体１０及び円板本体１０に形成した各硬貨保持部１３（本願補正発明の「複数の取込孔」に相当）が、電動機４を回転駆動させることにより回転され、硬貨保持部１３が円板本体１０の下部側に移動して硬貨溜め部２５に入ると、硬貨溜め部２５内に溜められた硬貨３８は、１枚づつ硬貨保持部１３に入り基板１の板面に接触し、傾斜した基板１に前側へ倒れないように支えられて保持され、その硬貨保持部１３が円板本体１０の回転により下部から上部へ移動して硬貨送出口５に対向すると、硬貨３８が硬貨保持部１３から外れて硬貨送出口５を通り選別通路板６上に立った状態で落下し送出される点。（特に、明細書１４頁６行〜１５頁１２行を参照。）
　
　また、上記ｃ．に記載した構成において、硬貨溜め部２５内に溜められた硬貨３８が「１枚づつ硬貨保持部１３に入り基板１の板面に接触し、傾斜した基板１に前側へ倒れないように支えられて保持され」ることは、本願補正発明において「落し込み部の底部に貯留される遊技媒体を前面から一枚ずつ取り込み」に相当し、同じく「硬貨保持部１３が円板本体１０の回転により下部から上部へ移動して硬貨送出口５に対向すると、硬貨３８が硬貨保持部１３から外れて硬貨送出口５を通り選別通路板６上に立った状態で落下し送出される」ことは、第２図の記載も参酌すれば、本願補正発明において「取り込んだ遊技媒体を厚み方向が前記軸線を向く姿勢で後方へ送出可能」であることに相当する。
　そうしてみると、引用文献２には、上記相違点１〜３に係る本願補正発明の構成が開示されているといえる。
　そして、引用発明と引用文献２記載の事項とは、いずれも、メダル状のものを一括して受け入れ回転円盤を用いて装置内に取り込む装置に関する点で共通しているから、引用発明の「メダル一括投入口２５」、「メダル貯留部４１」及び「メダル送出機構４２」に引用文献２記載の事項を適用して、上記相違点１〜３に係る本願補正発明のような構成とすることは、遊技機の分野における通常の知識を有する者（以下「当業者」という。）が容易に想到できることである。
　
［相違点４について］
　遊技媒体の存否検出に埋め込み形の近接スイッチを用いることは、例えば、特開２００２−３４２８１４号公報（特に、段落【００１８】及び図２）、特開平１０−２０１８９９号公報（特に、段落【００１９】及び図５）及び特開平６−２３０９５号公報（特に、段落【００５３】、【００６１】及び図３）に示すように従来周知の技術（以下「周知技術」という。）であり、近接スイッチの設置位置は、遊技媒体を検出すべき場所の形状や構造などに応じて当業者が適宜設定し得る事項であるから、引用発明に引用文献２記載の事項を適用して「メダル貯留部４１」の形状を、その底部が下向きに凸の円弧面をなすようにする際に周知技術を採用し、引用発明の「貯留検知センサ」を、メダル貯留部４１の底部中央に埋設して、上記相違点４に係る本願補正発明のような構成とすることは、当業者が容易に想到できることである。
　
（４）まとめ
　以上のように上記相違点１〜４は、当業者が容易に想到し得るものであり、本願補正発明の作用効果も、引用発明、引用文献２記載の事項及び周知技術に基いて当業者が予測できる範囲のものである。
　よって、本願補正発明は、引用発明、引用文献２記載の事項及び周知技術に基いて、当業者が容易に発明をすることができたものであって、特許法第２９条第２項の規定により特許出願の際独立して特許を受けることができない。
　
４．むすび
　したがって、本件補正は、改正前特許法第１７条の２第５項において準用する同法第１２６条第５項の規定に違反するので、同法第１５９条第１項において読み替えて準用する同法第５３条第１項の規定により却下されるべきものである。
　
第三．本願発明について
１．本願発明
　平成２２年７月１日付けの手続補正は上記のとおり却下されたので、本願の請求項１に係る発明（以下「本願発明」という。）は、平成２１年８月４日付け手続補正書の特許請求の範囲の請求項１に記載された事項により特定される、以下のとおりのものである。
「　遊技機本体の前側に、円板状の多数の遊技媒体を一括投入可能な遊技媒体トレイと、該遊技媒体トレイに投入された遊技媒体をモータ駆動により前記遊技機本体内に取り込み可能な遊技媒体取込手段とを配置した遊技機において、
　前記遊技媒体トレイは、投入される遊技媒体を受け入れ可能で、かつ後方へ向けて下り傾斜する受け部と、該受け部の後端に連設され、かつ前記受け部に投入された遊技媒体をその厚み方向が前後方向へ向く姿勢で底部中央に寄せるように、開口幅が下方へ向けて漸次狭くなる落し込み部とを有し、
　前記遊技媒体取込手段は、モータと、前上がり傾斜した軸線回りに回転可能に支持され、かつ前記モータにより回転させられることにより、前記落し込み部の底部に貯留される遊技媒体を一枚ずつ取り込み可能な取込孔を有する回転盤とを有し、
　前記落し込み部の底部中央に、前記落し込み部の底部中央に貯留される遊技媒体を検知可能で、かつ検知することにより前記モータを回転させる契機を発生させる検知手段を設けたことを特徴とする遊技機。」
　
２．特許法第２９条第２項の検討
（１）引用文献記載事項
　原査定における引用文献及びその記載事項は、前記「第二．３．（１）」に記載したとおりである。
　
（２）引用発明と本願発明との対比及び判断
　本願発明は、前記「第二」で検討した本願補正発明から、ａ．「受け部」について、その限定事項である「受け入れた遊技媒体」、「滑るように後方」及び「正面視ほぼＵ字状」との構成を省き、ｂ．「落し込み部」について、その限定事項である「下向きに連設されるとともに、」、「後端から落下した」、「起立姿勢で、後記回転盤の前面と当該前面に対向する対向面との間に貯留可能な」及び「後記回転盤の前面との間に貯留される遊技媒体が前記起立姿勢で底部中央に寄るように後面視において底面が下向きに凸の円弧面をなし、」との構成を省き、ｃ．「回転盤」について、その限定事項である「前面が前記落し込み部の前記対向面に上向きに開く鋭角になるように対向し、」、「前面から」及び「当該取り込んだ遊技媒体を厚み方向が前記軸線を向く姿勢で後方へ送出可能な複数」との構成を省き、ｄ．「検出手段」について、「近接スイッチ」及び「前記落し込み部の底面から突出しないように、前記落し込み部の底部中央に埋設したこと」との構成を省いたものといえる。
　そうすると、本願発明の構成要件を全て含み、さらに他の構成要件を付加したものに相当する本願補正発明が、前記「第二．３．（４）」に記載したとおり、引用発明、引用文献２記載の事項及び周知技術に基いて、当業者が容易に発明をすることができたものであるから、本願発明も、同様の理由により、引用発明、引用文献２記載の事項及び周知技術に基いて、当業者が容易に発明をすることができたものである。
　
（３）まとめ
　以上のとおり、本願発明は、引用発明、引用文献２記載の事項及び周知技術に基いて、当業者が容易に発明をすることができたものであるから、特許法第２９条第２項の規定により特許を受けることができない。
　
第四．むすび
　本願発明は、特許法第２９条第２項の規定により特許を受けることができないから、本願の他の請求項（請求項２）について検討するまでもなく、本願は拒絶すべきものである。
　よって、結論のとおり審決する。